(57)【要約】【課題】タッチ位置を検出するために静電容量方式のタッチパネル構造を一体化し、電子ペンの筆圧をともに検出することができるとともに、コイルから放射される磁力線が外部回路に影響を与えないように、磁場遮蔽手段を備えたデジタイザを提供する。【解決手段】本発明のデジタイザ１は、活性領域と活性領域の外側の非活性領域とに区画される透明基板１００と、透明基板１００の一面の活性領域に形成される電極１１０と、透明基板１００の一面の非活性領域に形成されるコイル１２１と、コイル１２１に対応する透明基板１００の他面の非活性領域に形成される磁性シート１３０と、を含むものである。【選択図】図３
2014049123.tif 000002
【特許請求の範囲】
【請求項１】
活性領域と前記活性領域の外側の非活性領域とに区画される透明基板と、
前記透明基板の一面の前記活性領域に形成される電極と、
前記透明基板の一面の前記非活性領域に形成されるコイルと、
前記コイルに対応する前記透明基板の他面の前記非活性領域に形成される磁性シートと、を含むデジタイザ。
【請求項２】
前記磁性シートは、磁性粉末及びバインダーの混合物が硬化されたものを含む請求項１に記載のデジタイザ。
【請求項３】
前記磁性粉末は、Ｆｅ、Ｓｉ、Ａｌのうち何れか一つまたは二つ以上を含む合金粉末である請求項２に記載のデジタイザ。
【請求項４】
前記バインダーは、ＡＢＳ（ａｃｒｙｌｏｎｉｔｒｉｌｅ−ｂｕｔａｄｉｅｎｃｅ−ｓｔｙｒｅｎｅ）を含む請求項２に記載のデジタイザ。
【請求項５】
前記磁性シートの他面に付着され、前記透明基板の他面方向に配置されるディスプレイ部をさらに含み、
前記透明基板と前記ディスプレイ部との間にはエアギャップが形成される請求項１に記載のデジタイザ。
【請求項６】
前記電極は、金属からなったメッシュパターンに形成される請求項１に記載のデジタイザ。
【請求項７】
前記金属は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）のうち何れか一つまたはこれらの組み合わせからなる請求項６に記載のデジタイザ。
【請求項８】
活性領域と前記活性領域の外側の非活性領域とに区画される透明基板と、
前記透明基板の一面の前記活性領域に形成される電極と、
前記透明基板の他面の前記非活性領域に形成されるコイルと、
前記コイルを覆うように前記透明基板の他面の前記非活性領域に形成される磁性シートと、を含むデジタイザ。
【請求項９】
前記磁性シートは、磁性粉末及びバインダーの混合物が硬化されたものを含む請求項８に記載のデジタイザ。
【請求項１０】
前記磁性粉末は、Ｆｅ、Ｓｉ、Ａｌのうち何れか一つまたは二つ以上を含む合金粉末である請求項９に記載のデジタイザ。
【請求項１１】
前記バインダーは、ＡＢＳ（ａｃｒｙｌｏｎｉｔｒｉｌｅ−ｂｕｔａｄｉｅｎｃｅ−ｓｔｙｒｅｎｅ）を含む請求項９に記載のデジタイザ。
【請求項１２】
前記磁性シートの他面に付着され、前記透明基板の他面方向に配置されるディスプレイ部をさらに含み、
前記透明基板と前記ディスプレイ部との間にはエアギャップが形成される請求項８に記載のデジタイザ。
【請求項１３】
前記電極は、金属からなったメッシュパターンに形成される請求項８に記載のデジタイザ。
【請求項１４】
前記金属は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）のうち何れか一つまたはこれらの組み合わせからなる請求項１３に記載のデジタイザ。
【発明の詳細な説明】
【技術分野】
【０００１】
本発明は、デジタイザに関する。
【背景技術】
【０００２】
デジタル技術を用いるコンピュータが発達するにつれて、コンピュータの補助装置もともに開発されており、パソコン、携帯用送信装置、その他の個人用の情報処理装置などは、キーボード、マウスなどの様々な入力装置（Ｉｎｐｕｔ  Ｄｅｖｉｃｅ）を利用してテキスト及びグラフィック処理を行う。
【０００３】
しかし、情報化社会の急速な進行により、コンピュータの用途が益々拡大する傾向にあるため、現在入力装置の役割を担当しているキーボード及びマウスだけでは、効率的な製品の駆動が困難であるという問題点がある。従って、簡単で誤操作が少なく、誰でも簡単に情報を入力することができる機器の必要性が高まっている。
【０００４】
また、入力装置に関する技術は、一般的な機能を満たす水準を越えて、高信頼性、耐久性、革新性、設計及び加工に関する技術などが注目されており、このような目的を達成するために、テキスト、グラフィックなどの情報入力が可能な入力装置として、電磁気誘導方式のデジタイザ（Ｄｉｇｉｔｉｚｅｒ）が開発された。
【０００５】
従来技術によるデジタイザの一例として、特許文献１に開示されているデジタイザが挙げられる。
【０００６】
前記特許文献１に開示されているデジタイザは、液晶パネルの下側に配置され、電子ペンがタッチされる位置で共振される電磁波を送受信してタッチ位置を認識するセンサ部と、センサ部を制御する制御部と、を含んで構成される。ここで、センサ部は、センサＰＣＢと、センサＰＣＢに形成される複数のＸ軸コイル及びＹ軸コイルで構成される。また、制御部は、センサ部の下側に構成され、センサ部に信号を送信してさらに入力される信号を読み取って電子ペンの位置を検知する役割をする。また、電子ペンの内部には、コイルとコンデンサからなる共振回路が内蔵される。
【０００７】
このような従来のデジタイザは、センサ部が制御部からの信号を受信して動作し、Ｘ軸及びＹ軸コイルを選択して電磁気を誘導しながら電磁波を発生させる。電子ペンは発生した電磁波によって共振され、共振周波数は一定時間ホールドされながらセンサ部によって受信される。制御部は、センサ部が受信した信号を読み取ってタッチ位置を検知する。
【０００８】
しかし、上記の従来のデジタイザは、タッチ位置を検出するために、共振回路が内蔵された電子ペンを備えなければならない。従って、タッチ位置を検出するために用いられる入力手段が制限されるという問題がある。
【０００９】
また、従来のデジタイザは、コイルから放射される磁力線が外部回路に影響を与えるという問題がある。従って、従来のデジタイザは、コイルから発生する磁力線が外部回路に影響を与えないように、別の磁場遮蔽手段を備えるなどの改善が必要である。
【先行技術文献】
【特許文献】
【００１０】
【特許文献１】韓国登録特許第１０−０５１０７２９号公報
【発明の概要】
【発明が解決しようとする課題】
【００１１】
本発明は、上述の従来技術の問題点を解決するためのものであって、本発明の一側面は、タッチ位置を検出するために静電容量方式のタッチパネル構造を一体化し、電子ペンの筆圧をともに検出することができるデジタイザを提供することを目的とする。
【００１２】
また、本発明は、デジタイザのコイルから放射される磁力線が外部回路に影響を与えないように、磁場遮蔽手段を備えたデジタイザを提供することを目的とする。
【課題を解決するための手段】
【００１３】
本発明の一実施例によるデジタイザは、活性領域と前記活性領域の外側の非活性領域とに区画される透明基板と、前記透明基板の一面の前記活性領域に形成される電極と、前記透明基板の一面の前記非活性領域に形成されるコイルと、前記コイルに対応する前記透明基板の他面の前記非活性領域に形成される磁性シートと、を含む。
【００１４】
本発明の一実施例によるデジタイザにおいて、前記磁性シートは、磁性粉末及びバインダーの混合物が硬化されたものを含むことができる。
【００１５】
本発明の一実施例によるデジタイザにおいて、前記磁性粉末は、Ｆｅ、Ｓｉ、Ａｌのうち何れか一つまたは二つ以上を含む合金粉末であることができる。
【００１６】
本発明の一実施例によるデジタイザにおいて、前記バインダーは、ＡＢＳ（ａｃｒｙｌｏｎｉｔｒｉｌｅ−ｂｕｔａｄｉｅｎｃｅ−ｓｔｙｒｅｎｅ）を含むことができる。
【００１７】
本発明の一実施例によるデジタイザにおいて、前記磁性シートの他面に付着され、前記透明基板の他面方向に配置されるディスプレイ部をさらに含み、前記透明基板と前記ディスプレイ部との間にはエアギャップが形成されることができる。
【００１８】
本発明の一実施例によるデジタイザにおいて、前記電極は、金属からなったメッシュパターンに形成されることができる。
【００１９】
本発明の一実施例によるデジタイザにおいて、前記金属は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）のうち何れか一つまたはこれらの組み合わせからなることができる。
【００２０】
本発明の他の実施例によるデジタイザは、活性領域と前記活性領域の外側の非活性領域とに区画される透明基板と、前記透明基板の一面の前記活性領域に形成される電極と、前記透明基板の他面の前記非活性領域に形成されるコイルと、前記コイルを覆うように前記透明基板の他面の前記非活性領域に形成される磁性シートと、を含む。
【００２１】
本発明の他の実施例によるデジタイザにおいて、前記磁性シートは、磁性粉末及びバインダーの混合物が硬化されたものを含むことができる。
【００２２】
本発明の他の実施例によるデジタイザにおいて、前記磁性粉末は、Ｆｅ、Ｓｉ、Ａｌのうち何れか一つまたは二つ以上を含む合金粉末であることができる。
【００２３】
本発明の他の実施例によるデジタイザにおいて、前記バインダーは、ＡＢＳ（ａｃｒｙｌｏｎｉｔｒｉｌｅ−ｂｕｔａｄｉｅｎｃｅ−ｓｔｙｒｅｎｅ）を含むことができる。
【００２４】
本発明の他の実施例によるデジタイザにおいて、前記磁性シートの他面に付着され、前記透明基板の他面方向に配置されるディスプレイ部をさらに含み、前記透明基板と前記ディスプレイ部との間にはエアギャップが形成されることができる。
【００２５】
本発明の他の実施例によるデジタイザにおいて、前記電極は、金属からなったメッシュパターンに形成されることができる。
【００２６】
本発明の他の実施例によるデジタイザにおいて、前記金属は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）のうち何れか一つまたはこれらの組み合わせからなることができる。
【発明の効果】
【００２７】
本発明によると、デジタイザ構造にタッチパネル構造を一体化することにより、タッチ位置を検出するための入力手段を多様化することができる長所がある。
【００２８】
また、本発明によると、透明基板の非活性領域を用いて筆圧検出のためのコイルを形成することにより、上記のタッチ位置の検出とともに筆圧も検出することができる長所がある。
【００２９】
更に、本発明によると、コイルの下部に磁性シートが配置させることにより、コイルから形成される磁場が遮蔽され、これによってディスプレイ部などの外部機器が磁場の影響を受けることを防止することができる。
【図面の簡単な説明】
【００３０】
【図１】本発明の第１実施例によるデジタイザの透明基板を図示した図面である。
【図２】本発明の第１実施例によるデジタイザの要部平面図である。
【図３】本発明の第１実施例によるデジタイザの断面図である。
【図４】本発明の第１実施例によるデジタイザの断面図である。
【図５】本発明の第２実施例によるデジタイザの断面図である。
【図６】本発明の第２実施例によるデジタイザの断面図である。
【発明を実施するための形態】
【００３１】
本発明の目的、特定の長所及び新規の特徴は、添付図面に係る以下の詳細な説明及び好ましい実施例によってさらに明らかになるであろう。本明細書において、各図面の構成要素に参照番号を付け加えるに際し、同一の構成要素に限っては、たとえ異なる図面に示されても、できるだけ同一の番号を付けるようにしていることに留意しなければならない。また、「一面」、「他面」、「第１」、「第２」などの用語は、一つの構成要素を他の構成要素から区別するために用いられるものであり、構成要素が前記用語によって限定されるものではない。以下、本発明を説明するにあたり、本発明の要旨を不明瞭にする可能性がある係る公知技術についての詳細な説明は省略する。
【００３２】
以下、添付図面を参照して、本発明の好ましい実施例を詳細に説明する。
【００３３】
図１は、本発明の第１実施例によるデジタイザの透明基板を図示した図面であり、図２は、本発明の第１実施例によるデジタイザの要部平面図である。また、図３及び図４は、本発明の第１実施例によるデジタイザの断面図である。
【００３４】
図１から図３に図示されたように、本発明の第１実施例によるデジタイザ１は、活性領域１０１と前記活性領域１０１の外側の非活性領域１０２とに区画される透明基板１００と、前記透明基板１００の一面の前記活性領域１０１に形成される電極１１０と、前記透明基板１００の一面の前記非活性領域１０２に形成されるコイル１２１と、前記コイル１２１に対応する前記透明基板１００の他面の前記非活性領域１０２に形成される磁性シート１３０と、を含む。
【００３５】
本実施例によるデジタイザ１は、静電容量方式のタッチパネル構造が一体化されたデジタイザである。従って、本実施例に含まれる透明基板１００及び電極１１０は、静電容量方式のタッチパネル構造に含まれる構成であるとみなすことができる。
【００３６】
透明基板１００は、後述する電極１１０及びコイル１２１が形成される領域を提供する。透明基板１００は、電極１１０及びコイル１２１を支持することができる支持力と、ディスプレイ部から提供される画像をユーザが認識できるようにする透明性を備えなければならない。
【００３７】
上述の支持力及び透明性を考慮して、透明基板１００は、ポリエチレンテレフタレート（ＰＥＴ）、ポリカーボネート（ＰＣ）、ポリメチルメタクリレート（ＰＭＭＡ）、ポリエチレンナフタレート（ＰＥＮ）、ポリエーテルスルフォン（ＰＥＳ）、環状オレフィンコポリマー（ＣＯＣ）、トリアセチルセルロース（Ｔｒｉａｃｅｔｙｌｃｅｌｌｕｌｏｓｅ；ＴＡＣ）フィルム、ポリビニルアルコール（Ｐｏｌｙｖｉｎｙｌ  ａｌｃｏｈｏｌ；ＰＶＡ）フィルム、ポリイミド（Ｐｏｌｙｉｍｉｄｅ；ＰＩ）フィルム、ポリスチレン（Ｐｏｌｙｓｔｙｒｅｎｅ；ＰＳ）、二軸延伸ポリスチレン（Ｋ樹脂含有ｂｉａｘｉａｌｌｙ  ｏｒｉｅｎｔｅｄ  ＰＳ；ＢＯＰＳ）、ガラスまたは強化ガラスなどで形成することが好ましいが、必ずしもこれに限定されるものではない。
【００３８】
透明基板１００の一面は、高周波処理またはプライマー（ｐｒｉｍｅｒ）処理することにより活性化させることが好ましい。透明基板１００がこのように処理されることにより、透明基板１００と電極１１０との間、及び透明基板１００とコイル１２１との間の接着力をより向上させることができる。
【００３９】
透明基板１００は、図１に図示されたように、活性領域１０１と非活性領域１０２とに区画される。活性領域１０１は、電極１１０が形成される領域であり、タッチ信号を発生させる領域である。また、非活性領域１０２は、このような活性領域１０１の外側を占めして活性領域１０１と区画される。
【００４０】
電極１１０は、例えば、ユーザが指または導電性チップが形成された電子ペンを用いてタッチした際に信号を発生させて、コントローラ（不図示）でタッチ座標を認識できるようにする役割を遂行する。
【００４１】
電極１１０は、例えば、第１電極１１１及び第２電極１１２を含むことができる。この場合、第１電極１１１は、透明基板１００の一面の活性領域１０１に形成することができる。また、第１電極１１１は、銅（Ｃｕ）、アルミニウム（Ａｌ）、金（Ａｕ）、銀（Ａｇ）、チタン（Ｔｉ）、パラジウム（Ｐｄ）、クロム（Ｃｒ）から選択された何れか一つまたはこれらの組み合わせからなる金属で形成することができ、メッキ工程や蒸着工程などの方法によって、透明基板１００の一面にメッシュパターンを形成することができる。この際、第１電極１１１は、図２に図示された例のように、透明基板１００に第１方向に配列されるダイヤモンドパターンと、そのダイヤモンドパターンの間を連結させるブリッジパターンとを形成することができる。
【００４２】
第２電極１１２は、透明基板１００の一面の活性領域１０１に第１電極１１１とともに形成することができる。第２電極１１２も、銅（Ｃｕ）、アルミニウム（Ａｌ）、金（Ａｕ）、銀（Ａｇ）、チタン（Ｔｉ）、パラジウム（Ｐｄ）、クロム（Ｃｒ）から選択された何れか一つまたはこれらの組み合わせからなる金属で形成することができ、メッシュパターンを形成することができる。第２電極１１２は、透明基板１００に第２方向に配列されるダイヤモンドパターンと、そのダイヤモンドパターンの間を連結させるブリッジパターンとを形成することができる。この際、第２電極１１２を構成するダイヤモンドパターンは、第１電極１１１を構成するダイヤモンドパターンと重ならない透明基板１００の領域を満たすように形成することができる。
【００４３】
上記の第１電極１１１と第２電極１１２は、そのうち何れか一つが検知電極１１０として、他の一つが駆動電極１１０として用いることができる。
【００４４】
一方、電極１１０は、メッシュパターンに形成されるが、上述したように必ずしもダイヤモンドパターンに形成されなければならないわけではない。電極１１０は、ダイヤモンドパターンの他にも、公知の様々な形態のパターンに形成されてもよいということは勿論である。
【００４５】
また、電極１１０は、上述の材料及び工程により形成されるものに限定されない。電極１１０は、上述の金属の他にも、銀塩乳剤層を露光／現像して形成された金属銀で形成されてもよく、または金属酸化物や伝導性高分子で形成されてもよい。
【００４６】
コイル１２１は、図２及び図３に図示されたように、透明基板１００の一面の非活性領域１０２に形成され、入力手段（不図示）から送信される信号を受信する役割を遂行する。入力手段は、例えば、筆圧センサが内蔵された電子ペンであることができる。電子ペンは、電子ペンのチップ部に加えられる筆圧を筆圧センサによって測定した後、測定された筆圧信号をコイル１２１に送信する。コイル１２１は、その信号を受信して制御部（不図示）に伝達する。
【００４７】
また、コイル１２１は、上記の電子ペンに電源を供給するパワーコイルの役割を遂行することもできる。電子ペンは、電子ペンに内蔵された共振回路が外部から交流電源の供給を受けて共振する構造からなることもできるが、外部から電磁気力を受けて共振する無電源電子ペンであることもできる。コイル１２１は、電子ペンに電源が供給される時間区間で制御部により駆動電源の印加を受けるように制御することができ、コイル１２１が印加された電源によって電磁気力を放出すると、電子ペンの共振回路は、入力された電磁気力を保存し、これを電子ペンに内蔵された構成の駆動電源として用いることができる。
【００４８】
一方、上記の筆圧センサや共振回路が内蔵されたデジタイザ用電子ペンは、既に公知された構成であるため、これ以上の詳細な説明は省略する。
【００４９】
磁性シート１３０は、透明基板１００の他面の非活性領域１０２に形成される。磁性シート１３０は、コイル１２１の形成位置に対応する透明基板１００の他面の非活性領域１０２に形成されることにより、透明基板１００の他面方向に対してコイル１２１から放射される磁場を遮蔽する機能を遂行する。
【００５０】
磁性シート１３０は、磁性粉末及びバインダーの混合物が硬化されたものを含むことができる。ここで、磁性粉末は、Ｆｅ、Ｓｉ、Ａｌのうち何れか一つまたは二つ以上を含む合金粉末であることができる。また、バインダーは、例えば、ＡＢＳ（ａｃｒｙｌｏｎｉｔｒｉｌｅ−ｂｕｔａｄｉｅｎｃｅ−ｓｔｙｒｅｎｅ）を含んでなることができる。
【００５１】
磁性シート１３０が透明基板１００の他面に接着されて固定されるように、透明基板１００と接触される磁性シート１３０の一面に接着層（不図示）を形成することができる。
【００５２】
一方、本実施例によると、透明基板１００の他面方向に配置されるディスプレイ部２００をさらに含むことができる。
【００５３】
ディスプレイ部２００は、画像を提供する役割を遂行するものであり、液晶表示装置（Ｌｉｑｕｉｄ  Ｃｒｙｓｔａｌ  Ｄｉｓｐｌａｙ  Ｄｅｖｉｃｅ；ＬＣＤ）などを含む。
【００５４】
ディスプレイ部２００は、上述の磁性シート１３０の他面に付着させることができる。ディスプレイ部２００を磁性シート１３０の他面に付着させるように、磁性シート１３０の他面に接着層（不図示）を形成することができる。
【００５５】
ディスプレイ部２００が磁性シート１３０の他面に付着されることにより、ディスプレイ部２００は、透明基板１００の他面方向に配置される。この際、透明基板１００とディスプレイ部２００との間には、エアギャップ２０１が形成される。
【００５６】
エアギャップ２０１は、クッションの役割をする部分であり、ディスプレイ部２００に加えられる衝撃を吸収することができる。従来は、このようなエアギャップ２０１を形成するために別の両面接着テープ（ＤＡＴ）を用いていたが、本実施例では、このような両面接着テープを用いない。その代わりに、上述の磁性シート１３０が両面接着テープの機能をともに遂行する。
【００５７】
一方、本実施例によるデジタイザは、図４に図示されたように、透明基板１００の一面方向に配置されるウィンドウガラス（ｗｉｎｄｏｗ  ｇｌａｓｓ）３００をさらに含むことができる。ウィンドウガラス３００は、光学透明接着剤（Ｏｐｔｉｃａｌ  Ｃｌｅａｒ  Ａｄｈｅｓｉｖｅ；ＯＣＡ）３０１により、透明基板１００の一面に付着させることができる。
【００５８】
以下、本発明の第２実施例によるデジタイザについて添付図面を参照して説明する。但し、第１実施例で説明された内容と重複される内容は省略する。
【００５９】
図５及び図６は、本発明の第２実施例によるデジタイザの断面図である。
【００６０】
図５に図示されたように、本実施例によるデジタイザ２は、活性領域１０１と前記活性領域１０１の外側の非活性領域１０２とに区画される透明基板１００と、前記透明基板１００の一面の前記活性領域１０１に形成される電極１１０と、前記透明基板１００の他面の前記非活性領域１０２に形成されるコイル１２２と、前記コイル１２２を覆うように前記透明基板１００の他面の前記非活性領域１０２に形成される磁性シート１３０と、を含む。
【００６１】
本実施例によるデジタイザ２は、第１実施例によるデジタイザ１と比較して、コイル１２２の形成位置が異なる。従って、以下では、このような差異についてのみ詳細に説明する。
【００６２】
本実施例に含まれるコイル１２２は、透明基板１００の非活性領域１０２に形成される。この際、前記コイル１２２は、透明基板１００の一面の非活性領域１０２でなく、図５に図示されたように、透明基板１００の他面の非活性領域１０２に形成される。
【００６３】
透明基板１００の一面の非活性領域１０２は、電極１１０と連結される配線（不図示）が形成される領域でもある。従って、コイル１２２が第１実施例のように透明基板１００の一面の非活性領域１０２に形成される場合、透明基板１００の一面の非活性領域１０２にコイル１２２及び配線がともに形成されるため、非活性領域１０２の幅が大きくなる場合が発生する恐れがある。
【００６４】
従って、透明基板１００の非活性領域１０２の幅が狭く形成されるように、本実施例では、透明基板１００の一面の非活性領域１０２に配線のみを形成し、コイル１２２は透明基板１００の他面の非活性領域１０２に形成する。
【００６５】
また、磁性シート１３０は、コイル１２２を覆うように、透明基板１００の他面の非活性領域１０２に形成される。
【００６６】
一方、本実施例によると、第１実施例と同様に、透明基板１００の一面方向に配置されるウィンドウガラス３００をさらに含むことができる（図６参照）。また、ウィンドウガラス３００は、光学透明接着剤３０１により、透明基板１００の一面に付着させることができる。
【００６７】
以上、本発明を具体的な実施例に基づいて詳細に説明したが、これは本発明を具体的に説明するためのものであり、本発明はこれに限定されず、該当分野における通常の知識を有する者であれば、本発明の技術的思想内にての変形や改良が可能であることは明白であろう。
【００６８】
本発明の単純な変形乃至変更はいずれも本発明の領域に属するものであり、本発明の具体的な保護範囲は添付の特許請求の範囲により明確になるであろう。
【産業上の利用可能性】
【００６９】
本発明は、デジタイザに適用可能である。
【符号の説明】
【００７０】
１、２  デジタイザ
１００  透明基板
１０１  活性領域
１０２  非活性領域
１１０  電極
１１１  第１電極
１１２  第２電極
１２１、１２２  コイル
１３０  磁性シート
２００  ディスプレイ部
２０１  エアギャップ
３００  ウィンドウガラス
３０１  光学透明接着剤
【図１】
2014049123.tif 000003
【図２】
2014049123.tif 000004
【図３】
2014049123.tif 000005
【図４】
2014049123.tif 000006
【図５】
2014049123.tif 000007
【図６】
2014049123.tif 000008